(57)【要約】【課題】  包装シートの内面側に海苔を収容する海苔収容袋部を設け、海苔収容袋部から取り出した海苔を被包装物に巻き、海苔を巻いた被包装物を包装シートにより包装する。【解決手段】  被包装物を包装可能な方形状の包装シート１と、包装シート１の内面側１ａに設けられ、包装シート１より小さい方形状の防水シートの３方を包装シート１に接合２ａ〜２ｃして閉鎖状態に固着し、１方を開放２ｄしてそこから海苔３を収容し、取り出すことができる海苔収容袋部２と、を備え、被包装物に海苔３を巻くとき、包装シート１の内面側１ａにおいて海苔収容袋部２から海苔３を取り出し、海苔３を取り出した海苔収容袋部２上で被包装物に海苔３を巻き、海苔３を巻いた被包装物を包装シート１により包装する。海苔３が巻かれる被包装物を、おむすび４あるいは巻き寿司５とした。【選択図】図５
2005053570.tif 000002
【特許請求の範囲】
【請求項１】
被包装物を包装可能な方形状の包装シートと、該包装シートの内面側に設けられ、包装シートより小さい方形状の防水シートの３方を包装シートに接合して閉鎖状態に固着し、該防水シートの１方を開放してそこから防水シートと包装シートとの間に海苔を収容し、取り出すことができる海苔収容袋部と、を備え、
前記被包装物に海苔を巻くとき、包装シートの内面側において海苔収容袋部から海苔を取り出し、海苔を取り出した海苔収容袋部上で被包装物に海苔を巻き、海苔を巻いた被包装物を包装シートにより包装することを特徴とする包装用シート。
【請求項２】
前記海苔が巻かれる被包装物を、おむすびあるいは巻き寿司としたことを特徴とする請求項１記載の包装用シート。
【発明の詳細な説明】
【技術分野】
【０００１】  本発明は、包装シートの内面側に海苔を収容する防水シートからなる海苔収容袋部を設け、被包装物に海苔を巻くとき、海苔収容袋部から取り出した海苔を被包装物に巻き、海苔を巻いた被包装物を包装する包装用シートに関する。
【背景技術】
【０００２】  従来、おむすびを、海苔を内包した長方形状のフィルムにより包装し、該おむすびを食するとき、前記フィルムの外側のものを中央から縦方向に切断し、該フィルムを左右両側端部において外側に向け引っ張って抜き取り、乾いた海苔を露出させ、該海苔をおむすびの表面に巻き付けて食するようにしたおむすび包装用フィルムが周知である（例えば、特許文献１参照）。
【特許文献１】実用新案登録第３０８４１３１号公報
【０００３】  前記先行技術のおむすび包装用フィルムは、縦長長方形でほぼ二重構造のおむすび包装用フィルムが、左右方向中央部から縦方向に二等分される右フィルムと左フィルムからなり、切断可能に添設された開封テープにより仕切られている。該開封テープの上部のフィルム切断開始位置に、切断用ガイドを設けている。また、包装用フィルムは、一側縁を、海苔を挿入するための開口部として開口し、上端縁と下端縁、及び開口部と対向する左側縁をそれぞれヒートシールにより密閉している。右フィルムの裏側端縁と左フィルムの裏側端縁とは海苔が挿入しやすいようにわずかにラップしているが、このラップ部分は、開封テープにより右フィルムと左フィルムに切断したときは、右フィルムと左フィルムに容易に分離されるようになっている。【０００４】  そして、開口部からフイルム内に海苔を入れ，この海苔を内装した包装用フィルムにより、おむすびを包装する。包装されたおむすびを食するときは、切断用ガイドから開封テープを下側に引っ張って右フィルムと左フィルムの外側を縦方向に切断する。次に、右フィルムと左フィル厶の左右両外側端部を持って外側に向け引っ張ると、右フィルムと左フィルムは分離して抜き取られ、乾いた海苔が露出する。この露出した海苔をおむすびの表面に巻き付けて食べるのである。【０００５】  また、海苔を内装した包装用フィルムは、おむすび包装用としての使用方法に限らず、海苔容器としても使用できる。即ち、おむすびを別に用意し、包装用フィルムに入れた海苔を、おむすびを食するときに、包装用フィルムの切断用ガイドから開封テープを下側に引っ張って右フィルムと左フィルムの外側を縦方向に切断し、右フィルムと左フィル厶の左右両外側端部を持って左右方向に向け引っ張って海苔を取り出し、おむすびの表面に巻き付けて食べる、という使い方もできる。さらに、家庭用の手巻き寿司の海苔として、あるいは回転寿司を巻く海苔としても使用することができる。
【発明の開示】
【発明が解決しようとする課題】
【０００６】  ところで、上記従来のおむすび包装用フィルムにおいては、開口部からフィルム内に海苔を入れるとき、包装用フィルムのほぼ中央部に入れてフィルム間に収容し、おむすびを包装するのが望ましい。しかし、包装用フィルム内において海苔が偏って収容されると、おむすびを食するとき、切断用ガイドから開封テープを下側に引っ張って右フィルムと左フィルムの外側を縦方向に切断し、右フィルムと左フィル厶の左右両外側端部を持って外側に向け引っ張って海苔を露出させる際、海苔が左フィルムに引っ張られてちぎれてしまい、海苔の全サイズをおむすびの表面に巻き付けて食することがてきなくなる、という不都合があった。また、包装用フィルムを開封テープを引っ張って右フィルムと左フィルムの外側を縦方向に切断して海苔及びおむすびを取り出す操作が面倒であった。【０００７】  本発明は、上記のような不都合を解消するためになされたもので、包装シートの内面側に海苔を収容する防水シートからなる海苔収容袋部を設け、被包装物に海苔を巻くとき、包装シートの内面側において海苔収容袋部から海苔を取り出し、海苔を取り出した海苔収容袋部上で被包装物に海苔を巻き、そのまま食べるか、海苔を巻いたおむすびあるいは巻き寿司を包装シートによりラフに包装し、食するときは包装を解除しておむすびあるいは巻き寿司を簡単に取り出せるようにした包装用シートを提供することを目的とする。
【課題を解決するための手段】
【０００８】  上記の目的を達成するために本発明の包装用シートは、以下の構成を特徴としている。
Ａ．被包装物を包装可能な方形状の包装シートと、該包装シートの内面側に設けられ、包装シートより小さい方形状の防水シートの３方を包装シートに接合して閉鎖状態に固着し、該防水シートの１方を開放してそこから防水シートと包装シートとの間に海苔を収容し、取り出すことができる海苔収容袋部と、を備え、前記被包装物に海苔を巻くとき、包装シートの内面側において海苔収容袋部から海苔を取り出し、海苔を取り出した海苔収容袋部上で被包装物に海苔を巻き、海苔を巻いた被包装物を包装シートにより包装する。
Ｂ．前記海苔が巻かれる被包装物を、おむすびあるいは巻き寿司とした。
【発明の効果】
【０００９】イ．上記Ａ．の構成により、被包装物に海苔を巻くときは、包装シートの内面側を上にして、海苔収容袋部から海苔を取り出し、海苔を取り出した海苔収容袋部上で被包装物に乾いた海苔を巻いてそのまま食することができる。また、海苔を巻いた被包装物を移動させたり、店頭に並べるときは、海苔を巻いた被包装物を包装シートにより包装して、容易に取り扱うことができる。また、包装シートによる包装を解いて海苔を巻いた被包装物を簡単に取り出すことができる。
ロ．上記Ｂ．の構成により、海苔が巻かれる被包装物が、おむすびあるいは巻き寿司であるので、包装シートの用途を広げることができる。
【発明を実施するための最良の形態】
【００１０】  以下、本発明を実施するための最良の形態について、添付の図面を参照しながら具体的に説明する。【００１１】  図１は、本発明による包装用シートの内面側を上にした状態の斜視図、図２、は海苔収容袋部に海苔を収容する状態の斜視図、図３は、海苔収容袋部に海苔を収容した状態の斜視図、図４は、海苔収容袋部から海苔を取り出す状態の斜視図、図５は、海苔収容袋部上でおむすびに海苔を巻き、包装シートにより海苔を巻いたおむすびを包装する状態の斜視図、図６は、図３と同様に海苔収容袋部に海苔を収容した状態の斜視図、図７は、図４と同様に海苔収容袋部から海苔を取り出す状態の斜視図、図８は、海苔収容袋部上で巻き寿司に海苔を巻き、包装シートにより海苔を巻いた巻き寿司を包装する状態の斜視図、図９は、包装シートにより海苔を巻いたおむすびを包装した状態の斜視図、図１０は、包装シートにより海苔を巻いた巻き寿司を包装した状態の斜視図である。
【実施例１】
【００１２】  図１において、符号１はほぼ正方形をした包装用シートで、薄葉紙を使用している。この包装用シート１の外面側には、該包装用シート１により包装される被包装物（後述するおむすび４あるいは巻き寿司５）の内容や特徴を図面や文字で表示する印刷が施されている。該包装シート１の内面側１ａには、包装シート１より小さい長方形状の透明な防水シート（ｐｐフィルム）の３方を包装シート１にヒートシールにより蒸着し、接合部２ａ〜２ｃとして閉鎖状態に固着している。該防水シートの１方は開放されていて開放部２ｄを形成しており、この開放部２ｄから、図２に示すように、防水シートと包装シート１との間に海苔３を収容し、取り出すことができる海苔収容袋部２を形成している。そして、図３に示すように、海苔収容袋部２内に海苔３を収容して「海苔入り包装シート」として商品化することもできる。【００１３】  海苔収容袋部２内に海苔３を収容した図３の状態で、被包装物であるおむすび４に海苔３を巻くときは、図４に示すように、海苔収容袋部２から海苔３を取り出し、包装シート１の内面側１ａを上にした状態で、図５に示すように、海苔３を取り出した海苔収容袋部２上でおむすび４に海苔３を巻き、海苔３を巻いたおむすび４をその場で食べるか、あるいは包装シート１により比較的ラフに包装し、図９に示すように、包装されたおむすび４ａとして店頭に並べたり、行楽に持参したりする。
【実施例２】
【００１４】  図３と同様に、海苔収容袋部２内に海苔３を収容した図６の状態で、被包装物である巻き寿司５に海苔３を巻くときは、図７に示すように、海苔収容袋部２から海苔３を取り出し、包装シート１の内面側１ａを上にした状態で、図８に示すように、海苔３を取り出した海苔収容袋部２上で巻き寿司５に海苔３を巻き、海苔３を巻いた巻き寿司５をその場で食べるか、あるいは包装シート１により比較的ラフに包装し、図１０に示すように、包装された巻き寿司５ａとして店頭に並べたり、行楽に持参したりする。
【産業上の利用可能性】
【００１５】  本発明の包装用シートは、包装シートに海苔を収容する海苔収容袋部を設け、おむすびや巻き寿司に海苔を巻くとき、海苔収容袋部から海苔を取り出し、海苔を取り出した海苔収容袋部上でおむすびや巻き寿司に海苔を巻き、そのまま食べるか、あるいは海苔を巻いたおむすびや巻き寿司を包装シートにより包装し、取り扱いが容易となって、一般家庭用、あるいは営業用として広く利用することができる。
【図面の簡単な説明】
【００１６】
【図１】本発明による包装用シートの内面側を上にした状態の斜視図である。
【図２】海苔収容袋部に海苔を収容する状態の斜視図である。
【図３】海苔収容袋部に海苔を収容した状態の斜視図である。
【図４】海苔収容袋部から海苔を取り出す状態の斜視図である。
【図５】海苔収容袋部上でおむすびに海苔を巻き、包装シートにより海苔を巻いたおむすびを包装する状態の斜視図である。
【図６】海苔収容袋部に海苔を収容した状態の斜視図である。
【図７】海苔収容袋部から海苔を取り出す状態の斜視図である。
【図８】海苔収容袋部上で巻き寿司に海苔を巻き、包装シートにより海苔を巻いた巻き寿司を包装する状態の斜視図である。
【図９】包装シートにより海苔を巻いたおむすびを包装した状態の斜視図である。
【図１０】包装シートにより海苔を巻いた巻き寿司を包装した状態の斜視図である。
【符号の説明】
【００１７】  １  包装シート  １ａ  包装シートの内面側
２  海苔収容袋部（防水シート）  ２ａ〜２ｃ  接合部  ２ｄ  開放部
３  海苔
４  おむすび  ４ａ  包装シートにより包装されたおむすび
５  巻き寿司  ５ａ  包装シートにより包装された巻き寿司
【図１】
2005053570.tif 000003
【図２】
2005053570.tif 000004
【図３】
2005053570.tif 000005
【図４】
2005053570.tif 000006
【図５】
2005053570.tif 000007
【図６】
2005053570.tif 000008
【図７】
2005053570.tif 000009
【図８】
2005053570.tif 000010
【図９】
2005053570.tif 000011
【図１０】
2005053570.tif 000012